(57)【要約】【課題】  機械的接点の固渋、配線や接点の劣化、磨耗などの心配がないことは勿論、盤の寸法や収容物、設置場所の詳細構造を変化させる必要がなく、広範囲に人を検知できること。【解決手段】  本発明のスイッチギヤは、上記課題を解決するために、少なくとも遮断器、断路器、母線が収納されているスイッチギヤの天井部分に、非接触人感センサが設置されていることを特徴とする。【選択図】図２
2014054032.tif 000002
【特許請求の範囲】
【請求項１】
少なくとも遮断器、断路器、母線が収納されているスイッチギヤの天井部分に、非接触人感センサが設置されていることを特徴とするスイッチギヤ。
【請求項２】
請求項１に記載のスイッチギヤにおいて、
前記スイッチギヤは列盤構成され、その内の少なくとも１つのスイッチギヤに、前記非接触人感センサが設置されていることを特徴とするスイッチギヤ。
【請求項３】
請求項１又は２に記載のスイッチギヤにおいて、
前記スイッチギヤに、前記非接触人感センサで人が居ることが検知されたら点灯する照明器具が設置されていることを特徴とするスイッチギヤ。
【請求項４】
請求項１又は２に記載のスイッチギヤにおいて、
前記スイッチギヤに、常時は消灯させておき、前記非接触人感センサで人が居ることが検知されたら表示する表示器が設置されていることを特徴とするスイッチギヤ。
【請求項５】
請求項３に記載のスイッチギヤにおいて、
前記非接触人感センサと前記照明機器を一体型にしたことを特徴とするスイッチギヤ。
【請求項６】
請求項４に記載のスイッチギヤにおいて、
前記非接触人感センサと前記表示器を一体型にしたことを特徴とするスイッチギヤ。
【請求項７】
請求項１乃至６のいずれか１項に記載のスイッチギヤにおいて、
前記非接触人感センサで人が居ることが検知されたことに反応した電気信号を監視室へ伝送し、該監視室で検知された人が不法侵入者であるか否かを判断することを特徴とするスイッチギヤ。
【請求項８】
請求項１に記載のスイッチギヤにおいて、
前記非接触人感センサで、前記スイッチギヤの扉の開閉回数及び/又は時間を検出し、この検出結果をコンピューターに記録することを特徴とするスイッチギヤ。
【発明の詳細な説明】
【技術分野】
【０００１】
本発明はスイッチギヤに係り、特に、非接触型人感センサを備えているものに好適なスイッチギヤに関する。
【背景技術】
【０００２】
通常、受変電設備においては、負荷電流或いは事故電流を遮断するための遮断器、負荷の保守点検作業を行う際に作業者の安全を確保するための断路器と接地開閉器、系統電圧・電流の検出装置、更に保護リレーなどが収納されたスイッチギヤが設置されている。
【０００３】
上述したスイッチギヤにおいては、保守点検作業を行う際には、盤の扉の開閉によって扉若しくは筺体枠に設けられた機械的接点を有するスイッチによって内部機器の入切を行っていた。
【０００４】
また、機械的接点を有するスイッチに代えて、人感センサを用いたものが特許文献１及び２に記載されている。
【０００５】
即ち、特許文献１には、部屋の内部に配置された配電盤の表示装置である液晶ディスプレイと、部屋の入口箇所に設置された液晶ディスプレイのスイッチ（人感センサ）とを備え、人感センサによる人の検知の有無や、入退室セキュリティ設備による人の入退室に連動させて、配電盤の液晶ディスプレイの画面表示をＯＮ/ＯＦＦさせることが記載されている。
【０００６】
一方、特許文献２には、キュービクル筺体に、該キュービクル筺体の近傍における人の存在を検知するための接近センサを設け、この接近センサで作業者がキュービクル筺体に接近/離間したことを検知して、内部の照明灯を点灯/消灯させることが記載されている。
【先行技術文献】
【特許文献】
【０００７】
【特許文献１】特開２００７−５３８４６号公報
【特許文献２】特開平９−１６３５１８号公報
【発明の概要】
【発明が解決しようとする課題】
【０００８】
しかしながら、従来のスイッチギヤは、機械的接点を有するスイッチにて扉の開閉を検知する構造であるため、製品寿命の長いスイッチギヤにおいては、機械的接点の固渋、配線や接点の劣化、磨耗などが問題となっていた。
【０００９】
また、機械的接点を有するスイッチは、設計時にスイッチが確実に動作するように盤の寸法や収容物、設置場所を検討する必要があり、検討の結果、盤の寸法や収容物、設置場所の詳細構造を変化させる必要がある。
【００１０】
更に、特許文献１及び２では、人感センサを部屋の入口箇所に設けたり、キュービクル筺体の中段部分の電力計や電流計と同一位置に人感センサを設けており、人感センサの視野が狭くなり、確実に人を検知できない恐れがある。
【００１１】
本発明は上述の点に鑑みなされたもので、その目的とするところは、機械的接点の固渋、配線や接点の劣化、磨耗などの心配がないことは勿論、盤の寸法や収容物、設置場所の詳細構造を変化させる必要がなく、広範囲に人を検知できるスイッチギヤを提供することにある。
【課題を解決するための手段】
【００１２】
本発明のスイッチギヤは、上記目的を達成するために、少なくとも遮断器、断路器、母線が収納されているスイッチギヤの天井部分に、非接触人感センサが設置されていることを特徴とする。
【００１３】
また、本発明のスイッチギヤは列盤構成され、その内の少なくとも１つのスイッチギヤに、前記非接触人感センサが設置されていることを特徴とする。
【００１４】
また、前記スイッチギヤに、前記非接触人感センサで人が居ることが検知されたら点灯する照明器具が設置されていることを特徴とする。
【００１５】
また、前記スイッチギヤに、常時は消灯させておき、前記非接触人感センサで人が居ることが検知されたら表示する表示器が設置されていることを特徴とする。
【００１６】
また、前記非接触人感センサと前記照明機器を、更には、前記非接触人感センサと前記表示器を一体型にしたことを特徴とする。
【００１７】
また、前記非接触人感センサで人が居ることが検知されたことに反応した電気信号を監視室へ伝送し、該監視室で検知された人が不法侵入者であるか否かを判断することを特徴とする。
【００１８】
また、前記非接触人感センサで、前記スイッチギヤの扉の開閉回数及び/又は時間を検出し、この検出結果をコンピューターに記録することを特徴とする。
【発明の効果】
【００１９】
本発明のスイッチギヤによれば、機械的接点の固渋、配線や接点の劣化、磨耗などの心配がないことは勿論、盤の寸法や収容物、設置場所の詳細構造を変化させる必要がなく、広範囲に人を検知できるスイッチギヤを得ることができる。
【図面の簡単な説明】
【００２０】
【図１】本発明のスイッチギヤの全体構成を示す斜視図である。
【図２】本発明のスイッチギヤの実施例１を示す概略斜視図である。
【図３】本発明のスイッチギヤの実施例２を示す概略斜視図である。
【図４】本発明のスイッチギヤの実施例３を示す概略斜視図である。
【図５】本発明のスイッチギヤの実施例４を示す概略斜視図である。
【発明を実施するための形態】
【００２１】
以下、図示した実施例に基づいて本発明のスイッチギヤを説明する。なお、各実施例において、同一構成部品には同符号を使用する。
【００２２】
図１に、本発明のスイッチギヤの全体構成を示す。該図に示す本発明のスイッチギヤ１は、各種配電設備（遮断器、断路器、母線等）を収納するためのものであり、その全体構造は、縦長の箱状である。スイッチギヤ１の前扉２は、開閉可能になっており、内部に収納された配電機器への各種作業は、この前扉２を開いて行うようになっている。
【実施例１】
【００２３】
図２に、本発明のスイッチギヤの実施例１を示す。該図に示す如く、本実施例のスイッチギヤ１は、スイッチギヤ１の天井部分に、人を感知して点灯する非接触人感センサと照明機器を一体型にした人感センサ照明機器３を設けたものである。勿論、非接触人感センサと照明機器を別々に設けても良いが、非接触人感センサは、スイッチギヤ１の天井部分に設ける必要があり、両者は接続線により接続され、非接触人感センサからの信号が照明機器に伝送されるようにする必要がある。
【００２４】
このような本実施例によれば、人感センサ照明機器３がスイッチギヤの天井部分に設置されているため、広範囲にわたって機械的接点を有するスイッチを用いずに確実に人が居ることを検知できる。
【００２５】
このため、機械的接点の固渋、配線や接点の劣化、磨耗などの心配がないことは勿論、スイッチギヤ１内の作業者の手元を照らす照明は、人が近づいたときのみ点灯させることができ、スイッチギヤ１に近づいた人の検知もできるのでセキュリティ機器として使用することも可能である。また、スイッチギヤ１の寸法、収容物、設置場所などによって変更していた詳細構造も共通化でき、変更の必要がなくなる効果がある。更に、機械的接点を有さないため、火花が飛ぶと危険な粉塵の多い場所においても設置が可能になる。
【実施例２】
【００２６】
図３に、本発明のスイッチギヤの実施例２を示す。該図に示す如く、本実施例のスイッチギヤ１は、スイッチギヤ１の天井部分に非接触人感センサ４を設け、この非接触人感センサ４で人が居ることが検知されたら、この非接触人感センサ４と接続線（図示せず）で接続されて信号が伝送され、常時は消灯している表示器５が点灯表示するものである。なお、非接触人感センサと表示器を、一体にしても良い。
【００２７】
このような本実施例によれば、非接触人感センサ４がスイッチギヤの天井部分に設置されているため、広範囲にわたって機械的接点を有するスイッチを用いずに確実に人が居ることを検知できるため、実施例１と同様な効果を得ることができる。特に、常時点灯していた表示器５は、人が近づいた時のみ表示させることができので、経済的である。
【実施例３】
【００２８】
図４に、本発明のスイッチギヤの実施例３を示す。該図に示す如く、本実施例のスイッチギヤ１は、スイッチギヤ１の天井部分に非接触人感センサ４を設け、この非接触人感センサ４で人が居ることが検知されたことに反応した電気信号６を監視室７へ伝送し、監視室７で、検知された人が不法侵入者であるか否かを判断している。
【００２９】
このような本実施例によれば、非接触人感センサ４がスイッチギヤの天井部分に設置されているため、広範囲にわたって機械的接点を有するスイッチを用いずに確実に人が居ることを検知できるため、実施例１と同様な効果を得ることができる。特に、本実施例は、セキュリティ機器として使用する場合に有効である。
【実施例４】
【００３０】
図５に、本発明のスイッチギヤの実施例４を示す。該図に示す如く、本実施例のスイッチギヤ１は、スイッチギヤ１の天井部分に非接触人感センサ４を設け、この非接触人感センサ４で、スイッチギヤ１の前扉２の開閉回数及び/又は時間を検出し、この検出結果をコンピューター８に記録するようにし、この記録したデータを画面９に、例えば、開閉時間ｘｈ、ｘｘｍｉｎ、回数ｘ回と表示することで閲覧可能できる。
【００３１】
このような本実施例によれば、前扉２の開閉回数及び又は時間を計測し、保守点検作業の実態を把握することができる。
【００３２】
また、上述した各実施例は、１つのスイッチギヤ１に非接触人感センサを設けたものについて説明したが、スイッチギヤ１が列盤構成（図４又は図５に示す構成）され、その内の少なくとも１つのスイッチギヤ１に非接触人感センサ４を設置しても良い。
【００３３】
なお、本発明は上記した実施例に限定されるものではなく、様々な変形例が含まれる。例えば、上記した実施例は本発明を分かり易く説明するために詳細に説明したものであり、必ずしも説明した全ての構成を備えるものに限定されるものではない。また、ある実施例の構成の一部を他の実施例の構成を置き換えることが可能であり、また、ある実施例の構成に他の実施例の構成を加えることも可能である。また、各実施例の構成の一部について、他の構成の追加・削除・置換をすることが可能である。
【符号の説明】
【００３４】
１…スイッチギヤ、２…前扉、３…人感センサ照明機器、４…非接触型人感センサ、５…表示器、６…電気信号、７…監視室、８…コンピューター、９…画面。
【図１】
2014054032.tif 000003
【図２】
2014054032.tif 000004
【図３】
2014054032.tif 000005
【図４】
2014054032.tif 000006
【図５】
2014054032.tif 000007